(57)【要約】【課題】撮像装置で映した対象物の画像のデータを処理して得られた特徴と登録データの特徴とを比較し、対象物の名前を判定し、判定結果を使用者に知らせる名前確認装置を提供する。【解決手段】撮像装置１で撮影した対象物６の画像データを画像処理装置２で処理し制御手段４で記憶手段３記憶された登録データとを比較して判定し、第１画像素子に表示して使用者に知らせる名前確認装置としている。【選択図】　図１
2004029995.tif 000002
【特許請求の範囲】
【請求項１】
対象物を撮影する撮像装置と、この撮像装置で撮影した画像のデータ処理を行う画像処理装置と、この画像処理装置からの出力と登録したデータを記憶する記憶手段からの出力に基づいて、対象物の名前を判定し、その判定結果を使用者に知らせる制御手段を備える名前確認装置。
【請求項２】
制御手段は登録データと対象物のデータとの一致度合いを表示させる請求項１に記載の名前確認装置。
【請求項３】
写真、文章等を画面に表示する第１の画像素子を備え、制御手段は登録データを第１の画像素子に表示させる請求項１または２に記載の名前確認装置。
【請求項４】
制御手段は登録データに含まれる登録画像と撮像装置で撮影する撮像画像を並べて表示させる請求項３に記載の名前確認装置。
【請求項５】
登録データの項目を選択する項目選択手段を備え、使用者が項目の選択後に、制御手段は対象物の名前を判定する請求項１に記載の名前確認装置。
【請求項６】
遠隔地間のデータをやりとりする通信手段を備え、制御手段は、通信手段を介して離れた所にある記憶手段の登録データを入力させる請求項１に記載の名前確認装置。
【請求項７】
遠隔地間のデータをやりとりする通信手段を備え、制御手段は、通信手段を介して離れた所にある情報を画面に表示する第２の画像素子に登録データ、対象物のデータあるいは判定結果等を出力させる請求項１に記載の名前確認装置。
【請求項８】
制御手段は、危険が予知される登録データと対象物のデータとが所定度合い以上一致すると使用者に警告する請求項１に記載の名前確認装置。
【請求項９】
電気を充電して蓄える蓄電手段あるいは電気を発電する発電手段を有する請求項１に記載の名前確認装置。
【発明の詳細な説明】
【０００１】
【発明の属する技術分野】
本発明は、名前がわからない対象物と図鑑等を検索して得られた登録データとを比較判定して名前を確認する名前確認装置に関するものである。
【０００２】
【従来の技術】
家庭用に保管している図鑑の多くは本に製本されているあるいはＣＤＲＯＭ等の記録媒体に記録されいる。
【０００３】
【発明が解決しようとする課題】
前記従来より知られている図鑑には写真は記載されているが登録点数が多く捜すのに手間が掛かる、また見分け方が記載してあっても素人では似たもの例えば食用のキノコと毒キノコとの区別が難しいという課題があった。そこで、本発明は上記する従来の課題を解決した名前確認装置を提供しようとするものである。
【０００４】
【課題を解決するための手段】
本発明はこの様な従来の構成が有している課題を解決するもので、対象物を撮影する撮像装置と、この撮像装置で撮影した画像のデータ処理を行う画像処理装置と、この画像処理装置からの出力と登録したデータを記憶する記憶手段からの出力に基づいて、対象物の名前を判定し、その判定結果を使用者に知らせる制御手段を備える名前確認装置としているものである。
【０００５】
【発明の実施の形態】
請求項１に記載した発明は、対象物を撮影する撮像装置と、この撮像装置で撮影した画像のデータ処理を行う画像処理装置と、この画像処理装置からの出力と登録したデータを記憶する記憶手段からの出力に基づいて、対象物の名前を判定し、その判定結果を使用者に知らせる制御手段を備えることにより登録したデータに基づく見分け方のノウハウで対象物を判定し、素人でも名前を確認することが可能な名前確認装置とすることができる。
【０００６】
請求項２に記載した発明は、制御手段は登録データと対象物のデータとの一致度合いを表示させることにより一致度合いが大きいと判定された名前は信頼性が大きいので確認を終了する、また一致度合いが小さいと他の登録データと比較する必要があるあるいは現在の登録には含まれないというように使用者が判断して次の行為に移れる名前確認装置とすることができる。
【０００７】
請求項３に記載した発明は、写真、文章等を画面に表示する第１の画像素子を備え、制御手段は登録データを第１の画像素子に表示させることにより使用者が画像素子上の登録データと対象物を比較検討可能な使い勝手の良い名前確認装置とすることができる。
【０００８】
請求項４に記載した発明は、制御手段は登録データに含まれる登録画像と撮像装置で撮影する撮像画像を並べて表示させることにより使用者が登録画像と対象物の画像を同一画面で比較検討可能な使い勝手の良い名前確認装置とすることができる。
【０００９】
請求項５に記載した発明は、登録データの項目例えばキノコ、薬草、野鳥、犬等を選択する項目選択手段を備え、使用者が項目の選択後に、制御手段は対象物の名前を判定することにより登録データの検索範囲を狭くして速く一致度合いの大きな登録データに到達し処理時間の短い名前確認装置とすることができる。
【００１０】
請求項６に記載した発明は、遠隔地間のデータをやりとりする通信手段を備え、制御手段は、通信手段を介して離れた所にある記憶手段の登録データを入力させることにより対象物から離れた場所にある大量の登録データを使用可能な名前確認装置とすることができる。
【００１１】
請求項７に記載した発明は、遠隔地間のデータをやりとりする通信手段を備え、制御手段は、通信手段を介して離れた所にある写真、文章等を画面に表示する第２の画像素子に登録データ、対象物のデータあるいは判定結果等を出力させることにより離れたところにいる他の有識者例えば学者の助言を得られる名前確認装置とすることができる。
【００１２】
請求項８に記載した発明は、制御手段は、危険が予知される登録データ例えば毒キノコ、毒草、毒蛇等と対象物のデータとが所定度合い一致すると使用者に警告することにより使用者が早く危険を察知可能な名前確認装置とすることができる。
【００１３】
請求項９に記載した発明は、電気を充電して蓄える蓄電手段あるいは電気を発電する発電手段例えば太陽光発電素子等を有することにより商用電源が付設されてない屋外であっても運転が可能な名前確認装置とすることができる。
【００１４】
【実施例】
以下本発明の実施例について図を参照しながら説明する。
【００１５】
（実施例１）
図１は本発明の名前確認装置の構成図である。図１に基づいて実施例１について説明する。本実施例の名前確認装置は、図鑑等のあらかじめ登録してあるデータと対象物を比較して名前を確認して使用するものを示している。
【００１６】
１はキノコ（対象物）６を撮影する撮像装置で半導体画像素子あるいはＣＣＤカメラ等で構成される。前記撮像装置１が撮影した画像は、画像処理装置２に送られてデータ処理され、その出力が制御手段４に入力される。また図鑑等のあらかじめ登録されたデータはＣＤＲＯＭ等の記録媒体で構成される記憶手段３に記憶されその出力は制御手段４に入力される。制御手段４はＬＣＤ等の画像を表示する画像表示素子で構成される第１の画像素子５の登録画像表示７と名前表示９にに登録データを、撮像画像表示８に撮像データを、安全度合い表示１１に登録データに登録された安全度合いを、選択項目表示１２に使用者が項目を選択し入力する選択素子１３の選択結果を、あるいは一致度合い表示１０に登録データと対象物データとを比較判定した一致度合い結果を表示する。
【００１７】
以下本実施例の動作について説明する。名前確認装置の使用スイッチ（図示していない）を使用側に操作すると、制御手段４が動作を開始して撮像装置１で対象物６の撮影を開始し画像処理装置６の出力が入力されるのを待ち、使用者が項目一覧（図示していない）からキノコ（項目）を選択すると記憶手段３からキノコの登録データを入力し、登録画面表示７にキノコの登録データの内対象物手データの特徴たとえば色、形状等と登録データに記載の特徴とを比較判定して選択された「○○キノコ」が画像表示され名前が名前表示９に、安全度合い例えば毒キノコあるいは食用等を安全度合い表示１１に表示する。また撮像画像表示８に対象物を画像表示する。制御手段４は選択された「○○キノコ」と対象物とを比較判定した結果の一致度合いを一致度合い表示１０に表示する。
【００１８】
従って、登録したデータに基づく見分け方のノウハウで対象物を判定し、素人でも対象物の名前を確認することができる。
【００１９】
また、一致度合い表示の一致度合いが大きいと判定された名前は信頼性が大きいので確認を終了する、また一致度合いが小さいと他の登録データと比較する必要があるあるいは現在の登録には含まれないというように使用者が判断して次の行為に移れる。
【００２０】
また、使用者が第１の画像素子上の登録データと現物の対象物とをを比較検討ができる。
【００２１】
また、使用者が登録画像と対象物の画像を同一画面で比較検討ができる。
【００２２】
また、使用者が項目の選択後に、制御手段は対象物の名前を判定することにより登録データの検索範囲を狭くして速く一致度合いの大きな登録データに到達し処理時間が短い。
【００２３】
また、危険が予知される毒キノコの場合は安全度合い表示で使用者に警告表示することにより使用者が早く危険を察知できる。
【００２４】
（実施例２）
図２は本発明の名前確認装置の構成図である。図２に基づいて実施例２について説明する。本実施例の名前確認装置は、図鑑等のあらかじめ登録してあるデータと対象物を比較して名前を確認して使用するものを示している。
【００２５】
３１はキノコ（対象物）３６を撮影する撮像装置で半導体画像素子あるいはＣＣＤカメラ等で構成される。前記撮像装置３１が撮影した画像は、画像処理装置３２に送られてデータ処理され、その出力が制御手段３４に入力される。また図鑑等のあらかじめ登録されたデータはＣＤＲＯＭ等の記録媒体で構成される携帯装置５０の遠隔地にある記憶手段３３に記憶されその出力は制御手段３４と送受信する通信手段４１を介して制御手段４に入力される。制御手段４はＬＣＤ等の画像を表示する画像表示素子で構成される携帯装置５０の遠隔地にある第２の画像素子３５に通信手段４１を介して出力し、登録画像表示３７と名前表示３９に登録データを、撮像画像表示３８に撮像データを、あるいは一致度合い表示４０に登録データと対象物データとを比較判定した一致度合い結果を表示する。太陽光発電素子４２は太陽電池等で構成され光、太陽光あるいは照明光を入力すると発電して電気を蓄電手段４３に出力し２次電池等で構成される蓄電手段４３は充電される。充電された蓄電手段４３は携帯装置５０の図示していない電気回路に電気を供給する。
【００２６】
以下本実施例の動作について説明する。名前確認装置の使用スイッチ（図示していない）を使用側に操作すると、制御手段３４が動作を開始して撮像装置３１で対象物３６の撮影を開始し画像処理装置３２の出力が入力されるのを待ち、使用者が項目一覧（図示していない）からキノコ（項目）を選択すると記憶手段３からキノコの登録データを入力し、登録画面表示７にキノコの登録データの内対象物手データの特徴たとえば色、形状等と登録データに記載の特徴とを比較判定して選択された「××キノコ」が画像表示され名前が名前表示３９に表示する。また撮像画像表示３８に対象物を画像表示する。制御手段３４は選択された「××キノコ」と対象物とを比較判定した結果の一致度合いを一致度合い表示４０に表示する。
【００２７】
従って、通信手段を介して離れた所にある記憶手段の登録データを入力させることにより対象物から離れた場所にある大量の登録データを使用することができる。
【００２８】
また、通信手段を介して離れた所にある写真、文章等を画面に表示する第２の画像素子に登録データ、対象物のデータあるいは判定結果等を出力させることにより離れたところにいる他の有識者例えば学者の助言を得ることができる。
【００２９】
また、蓄電手段からの電気の供給により商用電源が付設されてない屋外であっても携帯装置の運転ができる。
【００３０】
【発明の効果】
以上のように、本発明に記載した発明によれば、登録したデータに基づく見分け方のノウハウで対象物を判定し、素人でも名前を確認することが可能な名前確認装置とすることができる。
【図面の簡単な説明】
【図１】本発明の実施例１における名前確認装置の構成図
【図２】本発明の実施例２における名前確認装置の構成図
【符号の説明】
１　撮像装置
２　画像処理装置
３　記憶手段
４　制御手段
５　第１の画像素子
６　対象物
４１　通信手段
４２　太陽光発電素子（発電手段）
４３　蓄電手段
【図１】
2004029995.tif 000003
【図２】
2004029995.tif 000004